(57)【要約】【課題】  空調機の室内ユニットに装備される排水ポンプの構造及びその据付け作業の簡素化を図る。【解決手段】  排水ポンプ１００は、合成樹脂製の本体１１０上に合成樹脂製の受け部材１４０を脚部１１２の弾性を利用して連結してある。受け部材１４０の上部には、合成樹脂製のカバー部材１６０が脚部１８０を介して受け部材１４０の爪１４３に係合することにより取付けられる。カバー部材１６０には、取付部１６１が一体に設けられており、この取付部をブラケット２００にスナップフィット形式で装着することによって、排水ポンプ１００は室内ユニット側の取付板１２にワンタッチで据え付けられる。【選択図】        図３
2006258068.tif 000002
【特許請求の範囲】
【請求項１】
空気調和機を構成する室内ユニットに装備されてドレン水を排水する排水ポンプであって、
回転羽根を収容する合成樹脂製の本体と、該本体に対しその開口部を覆うように第１の弾性的結合手段を介して固着される合成樹脂製の受け部材とを備え、
前記受け部材には、前記回転羽根を駆動するモータを収容する筒部が一体に形成してあり、
前記筒部には、その開口部を覆う合成樹脂製のカバー部材が第２の弾性的結合手段を介して固着され、
前記受け部材と前記カバー部材の一方には、当該排水ポンプを室内ユニット側のハウジングに装着するために、前記室内ユニット側に固定されるブラケットに当該排水ポンプを着脱可能に装着するための取付部が一体に設けてある
ことを特徴とする排水ポンプ。
【請求項２】
前記ブラケットは、前記取付部に対し弾性的結合手段又はねじ手段によって固着されることを特徴とする請求項１記載の排水ポンプ。
【請求項３】
前記ブラケットは、前記室内ユニット側の取付板と一体に形成されることを特徴とする請求項１または２のいずれかに記載の排水ポンプ。
【発明の詳細な説明】
【技術分野】
【０００１】
本発明は、空気調和機のうちの室内側の天井等に取付けられる室内ユニットに装備されてドレン水を排出する排水ポンプに関する。
【背景技術】
【０００２】
室内ユニットに装備される排水ポンプの公知の取付構造を図９及び図１０に示す。
全体を符号１で示す室内ユニットは、筐体１０内にエバポレータ２０を有し、エバポレータ２０に送り込まれる冷媒と室内空気の間で熱交換を行う。
冷房運転の際には、室内空気が冷却され、空気中の水分が凝縮されて結露し、ドレン水Ｗ１となってドレンパン３０上に落下する。ドレンパン３０に落下したドレン水は、ドレン水溜り部３２に集められる。ドレン水溜り部３２に集められたドレン水は、排水ポンプ５０を作動させることによって、ドレンホース４０を介して室内機の外部へ吐出される。なお、ドレンホース４０は筐体１０に取付けた配管アダプター４２によって支持されている。
このような用途の排水ポンプは，例えば以下に示す特許文献１に開示されている。
【０００３】
排水ポンプ５０の公知の据付構造について図９及び図１０を参照して詳細に説明すると、排水ポンプ５０はこれと別体に用意されるブラケット６０を介して室内ユニットの筐体１０に固定された取付板１２に対して支持される。
ブラケット６０は、板金加工によって折り曲げ形成されてなり、駆動モータＭのステータＳの下面に潜り込ませた状態で、排水ポンプ５０に備え付けてある１対の取付柱５１に上方より取付ねじ６１、６２を締め付け、これによって排水ポンプ５０がブラケット６０に固定される。このようにして排水ポンプ５０が固定された状態のブラケット６０は、さらに防振ゴム７０を介在させてブラケットの下方側から締付けされるねじ８０を介して取付板１２に固定される。
【特許文献１】特開２００２−３９０８９号公報
【発明の開示】
【発明が解決しようとする課題】
【０００４】
公知の据付構造は上記構成のために、構成が複雑で排水ポンプの据付作業性が悪い問題点を有している。殊に、ねじ８０を締め付けた状態ではねじ６１を外すことができないため、室内機の保守点検等の際に排水ポンプ５０を取り外すときには、ねじ８０を外してブラケット６０が付いた状態でしか排水ポンプ５０を取り外すことができなかった。
本発明の主たる目的は、排水ポンプの据付構造を簡素化してコストダウンを図ることにある。
本発明の他の目的は、排水ポンプの据付け又は取外しの作業性を改善することにある。
【課題を解決するための手段】
【０００５】
上記課題を達成するために、本発明による排水ポンプは以下の構成を有する。すなわち、本発明の排水ポンプは、回転羽根を収容する合成樹脂製の本体と、該本体に対しその開口部を覆うように第１の弾性的結合手段を介して固着される合成樹脂製の受け部材とを備え、前記受け部材には、前記回転羽根を駆動するモータを収容する筒部が一体に形成してあり、前記筒部には、その開口部覆う合成樹脂製のカバー部材が第２の弾性的結合手段を介して固着され、前記受け部材と前記カバー部材の一方には、当該排水ポンプを室内ユニット側のハウジングに装着するために、前記ハウジングに固定されるブラケットに当該排水ポンプを着脱可能に装着するための取付部が一体に設けてある。
前記ブラケットは、好ましくは、前記取付部に対し弾性的結合手段又はねじ手段によって固着される。
前記ブラケットは、更に好ましくは、前記室内ユニット側の取付板と一体に形成されることもある。
【発明の効果】
【０００６】
以上の構成により、排水ポンプの据付構造が簡素化されてコストダウンが図れ、併せて排水ポンプの据付け又は取外しの作業性が著しく改善される。
【発明を実施するための最良の形態】
【０００７】
本発明の好適な実施形態について説明する
本発明の第１実施例の排水ポンプを装備した室内ユニットの要部が図１及び図２に示されている。なお、前記公知構造のものと共通する部材については図９及び図１０で用いたものと同一の符号を付す。
室内ユニット１の筐体１０内にエバポレータ２０が設けられ、ドレン水Ｗ１はドレンパン３０で受けられて、ドレン水溜り部３２に集水される。筐体１０に固定されている取付板１２には、取付柱を兼ねる防振ゴム７０を介在させてブラケット２００が吊下固定されており、このブラケット２００に本発明の排水ポンプ１００が着脱自在に取り付けられている。排水ポンプ１００には、配管アダプタ４２に支持されたドレンホース４０が繋がれている。排水ポンプ１００を作動させることによって、ドレン水Ｗ１は、排水ホース４０を介して機外へ排出される。
【０００８】
ここで本発明の第１実施例の排水ポンプの組立体１００の詳細及びその据付け構造について図３及び図４を参照して説明する。
排水ポンプの組立体１００は、合成樹脂で作られた本体１１０を有する。本体１１０は、取付け用の脚部１１２、吸込口１１４、吐出口１１６を一体に備える。本体１１０内には回転羽根１２０が配設され、駆動用のモータ１５０の出力軸１５２に連結される。本体１１０の上部の開口部には、一例としてのＯリングによるシールリング１３０を介して受け部材１４０が載置される。この受け部材１４０は、本体１１０の脚部１１２を受け部材１４０の被係止部１４１に弾性的にスナップフィット形式によって係合させる、いわゆる弾性的結合手段によって、本体１１０に固着される。すなわち、合成樹脂製の脚部１１２は弾性を有するので、この弾性を利用して脚部１１２の係止爪１１２ａが受け部材１４０の係止部１４１に弾性的に係止（スナップフィット）する。
【０００９】
受け部材１４０の中央部には、モータ１５０を受け入れる筒部１４２が形成してあり、この筒部１４２の外周面に爪１４３が設けてある。
合成樹脂製のカバー部材１６０には、スリット１６１ａを有する取付部１６１が膨出形成してあり、取付部１６１の下面から下方に垂下する脚部１６２に係合穴１６２ａが形成してある。脚部１６２の係合穴１６２ａを筒部１４２の爪１４３に弾性的に係止（スナップフィット）することによりカバー部材１６０はワンタッチで受け部材１４０の筒部１４２に取り付けられる。カバー部材１６０が筒部１４２に取り付けられることによりモータ１５０が筒部１４２内に保持される。
ブラケット２００は、この実施例では金属板を曲げ加工して形成されており、両側から脚片２０１が垂下形成され、さらにその下端に係止片２０２が垂下し、この係止片に弾性的に変形可能な係止爪２０２ａが斜め外側に向けて形成されている。係止片２０１及び係止爪２０２ａは、カバー１６０の取付部１６１のスリット１６１ａに挿入可能であり、この挿入後には係止爪２０２ａが自己の弾性力にて復元して取付部１６１の下面に離脱不能に係止する。
かかる構成によって、排水ポンプの組立体１００がワンタッチでブラケット２００に装着されるのである（図１及び図２参照）。なお、図３において、ブラケット２００の穴２０３は図１及び図２に示される防振ゴム７０を被着するためのものである。
この第１の実施例において、ブラケット２００は取付板１２（図１及び図２参照）と別体となっているが、ブラケット２００（脚片２０１）は取付板１２と一体に形成されることがある。このようにしても排水ポンプ組立体１００の据付けは上記した実施例と何等変わりはない。
【００１０】
つぎに第２実施例の排水ポンプ組立体１００Ａ及びその据付け構造について図５及び図６を参照して説明する。この実施例は、組立体１００Ａをブラケット２００Ａにねじ止め方式で据え付けるようになっている。第１実施例と同一構成については同一符号を付して説明を省略し、以下では変更点について説明する。
この実施例では、図５に示すように、カバー部材１６０に形成される取付部１６１Ａがカバー部材上面よりも高く形成してある。そしてこの取付部１６１Ａに後述の取付ねじ（タッピングねじ）Ｓを螺入可能な穴１６１ｂが形成してある。
排水ポンプ組立体１００Ａ側のこの変更に応じて、図６に示されるように、ブラケット２００Ａは脚片２０１Ａの下端から水平に延びる取付片２０２Ａを有する。ブラケット２００Ａの取付片２０２Ａはポンプ組立体１００Ａ側の取付部１６１Ａと対向する位置関係にある。このためポンプ組立体１００Ａは取付ねじＳを介してブラケット２００Ａに据え付けられる。なお、ブラケット２００Ａが、図１又は図２に示される防振ゴムを介して取付板１２に取り付けられる点は第１実施例と同様である。
【００１１】
つぎに第３実施例の排水ポンプ組立体１００Ｂ及びその据付け構造について図７及び図８を参照して説明する。この実施例においても、第１実施例又は第２実施例と同一構成については同一符号を付して説明を省略し、以下では変更点について説明する。
【００１２】
この実施例は、ポンプ組立体１００Ｂをブラケット２００Ｂにねじ止め方式で据え付けるものであるが、ポンプ組立体側に設ける取付部の形成位置が第１実施例及び第２実施例と異なっている。すなわち、この実施例の取付部１６１Ｂは、カバー部材１６０側ではなくて受け部材１４０側に一体に形成されている。この変更に伴って、受け部材１４０の筒部１４２の外周面に形成される爪部１４３Ｂの形成位置と、この爪部１４３Ｂに弾性的に係合させるべくカバー部材１６０から一体に垂下形成される脚部１６２Ｂの形成位置が異なっている。
【００１３】
このように変更されたポンプ組立体１００Ｂを据え付けるためのブラケット２００Ｂは、実質的には第２実施例のものと類似する形状に形成される。相違点は、ブラケット２００Ｂの脚片２０１Ｂが第２実施例のブラケット２００Ａの脚片２０１Ａよりも若干長くなっている点である。
【００１４】
なお、第３実施例において、筒部１４２に形成される取付部１６１Ｂを有するポンプ組立体１００Ｂを第１実施例の如く、スナップフィット形式でワンタッチでブラケットに装着するように変更することは容易である。
【図面の簡単な説明】
【００１５】
【図１】本発明の第１実施例の排水ポンプを装備した室内ユニットの要部を示す正面図。
【図２】図１の右側面図。
【図３】本発明の第１実施例の排水ポンプをブラケットとともに示す展開斜視図。
【図４】（ａ）は本発明の第１実施例の排水ポンプの平面図、（ｂ）はその正面図。
【図５】（ａ）は本発明の第２実施例の排水ポンプの平面図、（ｂ）はその正面図。
【図６】（ａ）は本発明の第２実施例の排水ポンプのブラケットへの据付け状態を示す平面図、（ｂ）はその正面図。
【図７】（ａ）は本発明の第３実施例の排水ポンプの平面図、（ｂ）はその正面図。
【図８】（ａ）は本発明の第３実施例の排水ポンプのブラケットへの据付け状態を示す平面図、（ｂ）はその正面図。
【図９】現状の室内ユニットに装備される排水ポンプの取付構造を示す説明図。
【図１０】図９の右側面図。
【符号の説明】
【００１６】
１  室内ユニット
１０  筐体
１２  取付板
２０  エバポレータ
３０  ドレンパン
７０  防振ゴム
１００、１００Ａ、１００Ｂ  排水ポンプ
１１０  本体
１４０  受け部材
１４２  筒部
１４３  爪
１６０  カバー部材
１６１、１６１Ａ，１６１Ｂ  取付部
２００、２００Ａ、２００Ｂ  ブラケット
Ｓ  取付ねじ
【図１】
2006258068.tif 000003
【図２】
2006258068.tif 000004
【図３】
2006258068.tif 000005
【図４】
2006258068.tif 000006
【図５】
2006258068.tif 000007
【図６】
2006258068.tif 000008
【図７】
2006258068.tif 000009
【図８】
2006258068.tif 000010
【図９】
2006258068.tif 000011
【図１０】
2006258068.tif 000012